(57)【要約】【課題】  保存可能な最大数のプロファイルが既に保存されている場合にも、新規に作成中のプロファイルデータを消失させることなく、保存されている適宜プロファイルを削除できるようにする。【解決手段】  新規に作成中のプロファイルデータを一時的に保存することができる一時保存プロファイル格納部３をドライバ内に構成する。保存可能な最大数のプロファイルが既に保存されていた場合、新規に作成中のプロファイルデータを一時保存プロファイルに保存する。次いで、通常保存プロファイル格納部２に既に保存されている適宜プロファイルを抽出し、そのプロファイルの内容を表示し、そのプロファイルを削除する。そして、前記新規に作成中のプロファイルデータを一時保存プロファイルから抽出し、新規プロファイルとして保存する。【選択図】          図５
2006031482.tif 000002
【特許請求の範囲】
【請求項１】
保存可能な最大数のプロファイルが既に保存されていた場合に、新規に作成中のプロファイルデータを一時保存プロファイルに保存し、次いで、既に保存されている適宜プロファイルを抽出し、そのプロファイルの内容を表示し、そのプロファイルを削除し、そして、前記新規に作成中のプロファイルデータを一時保存プロファイルから抽出し、新規プロファイルとして保存することを特徴とするプロファイル管理方法。
【請求項２】
所定数のプロファイルを保存することができる通常保存プロファイル格納部と、新規に作成中のプロファイルデータを一時的に保存することができる一時保存プロファイル格納部と、プロファイルを通常保存プロファイル格納部及び一時保存プロファイル格納部から選択的に抽出、保存、変更、削除することができるプロファイル処理部と、をドライバ内に構成したことを特徴とするプロファイル管理システム。
【請求項３】
前記一時保存プロファイル格納部は、前記通常保存プロファイル格納部と同一のメモリ領域に構成され、保存可能な最大数のプロファイルが既に保存されていた場合にのみ、アクセス可能となることを特徴とする請求項２に記載のプロファイル管理システム。
【発明の詳細な説明】
【技術分野】
【０００１】
本発明は、プリンタ、スキャナ等のコンピュータに接続された周辺装置に制御データを送信するドライバに格納される簡易設定（プロファイル）を作成、変更、削除等するプロファイル管理方法及び管理システムに関する。
【背景技術】
【０００２】
コンピュータにプリンタ、スキャナ等の周辺装置を接続したシステムでは、予め、プリンタ、スキャナ等の周辺装置に制御データを送信するドライバというソフトウェアをコンピュータにインストールしておき、ドライバにおいて各種デバイス設定を行った上で、ドライバからプリンタ、スキャナ等の周辺装置に制御データを送信することによって、プリンタ、スキャナ等の周辺装置に所定動作を実行させるようになっている。
【０００３】
ドライバにおいて行ったデバイス設定は、ドライバ内のメモリ領域にプロファイルとして格納することができる。プロファイルの作成は、図１に示すように、ドライバを起動してドライバ基本画面１０をモニターに表示させることにより行うことができる。
ドライバ基本画面１０において、例えば、セットアップ、ジョブタイプ、レイアウト、効果、画質等について適宜設定を行なった後、保存ボタン１１をクリックすれば、図２に示すように、簡易設定名入力画面２０が表示される。簡易設定名入力画面２０において、簡易設定名入力欄２１に適宜名称を入力し、ＯＫボタン２２をクリックすれば、その名称を有する新規プロファイルが作成され、ドライバ内のメモリ領域に保存されるようになっている。
【０００４】
既に作成し、保存してあるプロファイルの内容を確認したい場合には、ドライバ基本画面１０において、簡易設定選択ボタン１２をクリックし、簡易設定表示欄１３にプロファイル番号を表示させる。そして、適宜プロファイル番号を選択してクリックすれば、ドライバ基本画面１０にそのプロファイル番号に対応したプロファイルの内容が表示されるようになっている。
又、簡易設定名入力画面２０において、簡易設定名入力欄２１に既に使用している名称を入力した場合には、図３に示すように、上書確認画面３０が表示され、ＯＫボタン３１  をクリックすれば、既に作成されたプロファイルの内容が変更されるようになっている。
【０００５】
以上のように、ドライバ基本画面１０において、複数のプロファイルを作成し、保存し、又、その内容を変更することができるようになっているが、簡易設定表示欄１３にあまりに多数のプロファイルを表示できるようにしても、所望のプロファイルを検索し難くなると共に、プロファイルを保存するために使用できるリソース（メモリ、レジストリ等）の容量にも制限がある。
よって、通常、作成、保存することができ、簡易設定表示欄１３に表示することができるプロファイルの数には上限を設定してある。
【０００６】
そのため、ドライバ基本画面１０において適宜設定を行ない、保存ボタン１１をクリックした時、保存することができる最大数のプロファイルが既に保存されていた場合には、図４に示すように、エラーメッセージ画面４０が表示されるようになっている。
そこで、作業者は、一旦、ドライバ基本画面１０に戻って、簡易設定表示欄１３にプロファイル番号を表示させ、適宜プロファイル番号を選択し、その番号に対応したプロファイルを削除して、新規プロファイルを作成、保存できるようにしなければならなかった。
【０００７】
一方、このようなプロファイルの作成、変更、削除に関して、ネットワークを介して多数のクライアントが接続されている場合において、クライアントから送信されたプロファイルの内容の一部又は全部がサーバーに保存されているプロファイルの内容と一致する場合には、その保存されているプロファイルを自動的に削除し、クライアントから送信されたプロファイルをサーバーに保存する方法（特許文献１参照。）、又、サーバーに保存されているプロファイルにアクセスしたクライアントの数、アクセス時間等を考慮し、それらが所定の削除閾値以上の場合には、それに該当する保存されているプロファイルを自動的に削除する方法（特許文献２参照。）も提案されている。
【０００８】
【特許文献１】特開２００２−１９９２２９号公報
【特許文献２】特開２００４−５８５８８号公報
【発明の開示】
【発明が解決しようとする課題】
【０００９】
従来において、保存することができる最大数のプロファイルが既に保存されており、エラーメッセージ画面４０が表示された場合に、一旦、ドライバ基本画面１０に戻って、簡易設定表示欄１３にプロファイル番号を表示させ、適宜プロファイル番号を選択し、その番号に対応したプロファイルを削除しようとすると、選択した番号のプロファイルの内容がドライバ基本画面１０に表示され、新規に保存したい作成中のプロファイルデータは消失してしまうため、最初からプロファイルデータを作成し直さなければならなかった。
【００１０】
一方、上記特許文献１及び２の方法にあっては、自動的にプロファイルの保存、変更、削除等が実行されるので、プロファイルの内容によっては保存、変更、削除等するのが不適当なものであっても、その内容を確認することができないために、誤って保存、変更、削除等が実行されてしまうという虞があった。
【００１１】
本発明は、上記従来の問題点に鑑みて為されたものであって、保存可能な最大数のプロファイルが既に保存されている場合にも、新規に保存したい作成中のプロファイルデータを消失させることなく、しかも、既に保存されているプロファイルの内容を確認した上で適宜プロファイルを削除することができ、そして、新規に作成したプロファイルを直ちに保存することができるプロファイル管理方法及び管理システムを提供することを目的とする。
【課題を解決するための手段】
【００１２】
上記目的を達成するために、本発明は、保存可能な最大数のプロファイルが既に保存されていた場合に、新規に作成中のプロファイルデータを一時保存プロファイルに保存し、次いで、既に保存されている適宜プロファイルを抽出し、そのプロファイルの内容を表示し、そのプロファイルを削除し、そして、前記新規に作成中のプロファイルデータを一時保存プロファイルから抽出し、新規プロファイルとして保存することを特徴とするプロファイル管理方法である。
【００１３】
又、本発明は、ドライバ内に、所定数のプロファイルを保存することができる通常保存プロファイル格納部と、新規に作成中のプロファイルデータを一時的に保存することができる一時保存プロファイル格納部と、プロファイルを通常保存プロファイル格納部及び一時保存プロファイル格納部から選択的に抽出、保存、変更、削除することができるプロファイル処理部と、を構成したことを特徴とするプロファイル管理システムである。
【００１４】
前記一時保存プロファイル格納部は、前記通常保存プロファイル格納部と同一のメモリ領域に構成され、保存可能な最大数のプロファイルが既に保存されていた場合にのみ、アクセス可能となっているようにしてもよい。
【発明を実施するための最良の形態】
【００１５】
以下、本発明のプロファイル管理方法及びプロファイル管理システムの好適な実施形態について、図面を参照して詳細に説明する。
図１はドライバ基本画面の一実施例を示す図、図２は簡易設定名入力画面の一実施例を示す図、図３は上書確認画面の一実施例を示す図、図４はエラーメッセージ画面の一実施例を示す図、図５は本発明のプロファイル管理システムの概略構成図、図９は簡易設定不能画面の一実施例を示す図、図１０はドライバ基本画面の他実施例を示す図である。
【００１６】
本発明のプロファイル管理システム１は、ドライバ内に構成されるものであって、図５に示すように、所定数のプロファイルを保存することができる通常保存プロファイル格納部２と、新規に作成中のプロファイルデータを一時的に保存することができる一時保存プロファイル格納部３と、プロファイルを作成するとともに、プロファイルを通常保存プロファイル格納部２及び一時保存プロファイル格納部３から選択的に抽出、保存、変更、削除することができるプロファイル処理部４と、から構成されている。
ここで、符号５はプロファイルデータを作成、表示等するために一時的に保持しておくデータ一時記憶部である。
【００１７】
本発明のプロファイル管理システム１においては、通常保存プロファイル格納部２と一時保存プロファイル格納部３とは同一のメモリ領域に構成され、図５に示すように、プロファイル格納テーブル６の番号１〜２０が通常保存プロファイル格納部２、番号２１が一時保存プロファイル格納部３となっている。よって、本実施例においては、保存可能なプロファイルの最大数は２０となっている。
そして、番号２１の一時保存プロファイル格納部３には、保存可能な最大数である２０のプロファイルが既に保存されていた場合にのみ、アクセス可能となっている。
【００１８】
プロファイル格納テーブル６において、第１欄６１にはプロファイル番号がデータとして保存され、第２欄６２には簡易設定名（プロファイル名）がデータとして保存され、第３欄６３にはプロファイルの内容がデータとして保存されるようになっている。
尚、番号２１の一時保存プロファイル格納部３に関しては、第２欄６２には名称「一時保存」がデータとして保存され、第３欄６３には一時保存プロファイルの内容がデータとして保存されるようになっている。
【００１９】
次に、本発明のプロファイル管理システム１によって、プロファイル管理方法を実施した場合について説明する。以下、周辺装置としてプリンタに適用した場合について、すなわち、プリンタドライバに適用した場合について説明する。
【００２０】
新規プロファイルを作成するために、従来と同様に、図１に示すように、プリンタドライバを起動してドライバ基本画面１０をモニターに表示させる。以下、図６乃至図８のフローチャートを参照して説明する。
ドライバ基本画面１０において、セットアップ、ジョブタイプ、レイアウト、効果、画質等について適宜印刷設定を行なった後、保存ボタン１１をクリックする（Ｓ１）。ここで、印刷設定データの作成中は、印刷設定データはプロファイルデータとしてデータ一時記憶部５に一時的に保持されている。
【００２１】
保存ボタン１１をクリックすると、プロファイル処理部４によって、通常保存プロファイル格納部２に既に最大数（本実施例では２０）のプロファイルが保存されているか判断され（Ｓ２）、未だ最大数のプロファイルが保存されていない場合には、図２に示すように、簡易設定名入力画面２０が表示される（Ｓ３）。
【００２２】
簡易設定名入力画面２０において、簡易設定名入力欄２１に適宜名称を入力し、ＯＫボタン２２をクリックすれば（Ｓ４−１）、プロファイル処理部４によって、その名称が既に使用されているか判断され（Ｓ４−２）、未だ使用されていない場合には、プロファイル処理部４によって、通常保存プロファイル格納部２の所定のプロファイル番号位置に、その名称を有する新規プロファイルが作成され、保存される（Ｓ４−３）。
【００２３】
名称が既に使用されているか判断され（Ｓ４−２）、既に使用されている場合には、図３に示すように、上書確認画面３０が表示され（Ｓ４−４）、ＯＫボタン３１をクリックすれば、プロファイル処理部４によって、通常保存プロファイル格納部２の該当するプロファイル番号位置に、既に作成されたプロファイルが削除され、その名称を有する新規プロファイルが作成され、保存される（Ｓ４−３）。
【００２４】
通常保存プロファイル格納部２に既に最大数のプロファイルが保存されているか判断され（Ｓ２）、既に最大数のプロファイルが保存されている場合には、図９に示すように、簡易設定不能画面５０が表示される（Ｓ５）。
この簡易設定不能画面５０において、ＯＫボタン５１をクリックすれば、プロファイル処理部４によって、データ一時記憶部５に一時的に保持されているプロファイルデータは、一時保存プロファイル格納部３に一時的に保存される（Ｓ５）。
【００２５】
そこで、作業者は、一旦、ドライバ基本画面１０に戻って、図１０に示すように、簡易設定表示欄１３にプロファイル番号を表示させ、適宜プロファイル番号を選択し、その番号に対応したプロファイルの内容を表示させる（Ｓ６−１）。
選択したプロファイルの内容を確認した上で、図１に示すように、削除ボタン１４をクリックすれば（Ｓ６−２）、プロファイル処理部４によって、通常保存プロファイル格納部２の該当するプロファイル番号位置に既に作成されたプロファイルは削除される（Ｓ６−３）。
【００２６】
不要なプロファイルを削除した後、作業者は、再度、ドライバ基本画面１０に戻って、図１０に示すように、簡易設定表示欄１３に一時保存プロファイルの名称「一時保存」を表示させ、「一時保存」を選択する（Ｓ７）。
すると、プロファイル処理部４によって、一時保存プロファイル格納部２に一時的に保存されていたプロファイルデータが抽出され、ドライバ基本画面１０に表示され、再度、データ一時記憶部５に一時的に保持されるようになる。
【００２７】
そして、保存ボタン１１をクリックすると（Ｓ６１）、プロファイル処理部４によって、通常保存プロファイル格納部２に既に最大数（本実施例では２０）のプロファイルが保存されているか判断されるが（Ｓ２）、未だ最大数のプロファイルが保存されていない状態となったから、図２に示すように、簡易設定名入力画面２０が表示される（Ｓ３）。
よって、簡易設定名入力画面２０において、簡易設定名入力欄２１に適宜名称を入力し、ＯＫボタン２２をクリックすれば（Ｓ４−１）、プロファイル処理部４によって、通常保存プロファイル格納部２の削除されたプロファイル番号位置に、その名称を有する新規プロファイルが作成され、保存される（Ｓ４−３）。
【００２８】
上記において、通常保存プロファイル格納部２に既に最大数（本実施例では２０）のプロファイルが保存されているかの判断（Ｓ２）は、具体的には、図１１に示すような処理方法によって実行される。
すなわち、変数Ａに初期値として０を設定しておき、新規にプロファイルが作成され、通常保存プロファイル格納部２に保存される毎に、変数Ａに１を加算するルーチンを形成しておく。
そうすれば、通常保存プロファイル格納部２に既に最大数（本実施例では２０）のプロファイルが保存されていれば、変数Ａは２０になっている筈であるから、Ａ≧２０であるかを見れば、既に最大数のプロファイルが保存されているか判断される。
【００２９】
ドライバ基本画面１０において適宜印刷設定を行なった後、保存ボタン１１をクリックすると、プロファイル処理部４によって、変数ＡがＡ≧２０であるか判断され（Ｓ１１）、Ａ≧２０である場合には、図９に示すように、簡易設定不能画面５０を表示し、一時保存プロファイル格納部３をアクセス可能な状態とする（Ｓ１２）。
一方、変数ＡがＡ≧２０であるか判断され（Ｓ１１）、Ａ＜２０である場合には、図２に示すように、簡易設定名入力画面２０を表示し、一時保存プロファイル格納部３をアクセス不能な状態とする。又、変数Ａに１を加算して、Ａ＝Ａ＋１とする（Ｓ１３）。
【００３０】
以上の如く、本発明のプロファイル管理方法によれば、保存可能な最大数のプロファイルが既に保存されている場合にも、新規に保存したい作成中のプロファイルデータを一時保存プロファイルに保存することができるから、作成中のプロファイルデータを消失させることなく、又、最初からプロファイルデータを作成し直すこともなく、極めて効率的にプロファイルを作成、保存することができる。
【００３１】
又、本発明のプロファイル管理方法によれば、新規に保存したい作成中のプロファイルデータを一時保存プロファイルに保存することができるから、既に保存されているプロファイルの内容を確認した上で適宜プロファイルを削除することができ、誤って必要なプロファイルを削除等する心配はなく、極めて安全かつ確実にプロファイルを削除することができる。
【００３２】
本発明のプロファイル管理システムによれば、本発明のプロファイル管理方法を適切に実施することができ、さらに、一時保存プロファイル格納部を通常保存プロファイル格納部と同一のメモリ領域に構成し、保存可能な最大数のプロファイルが既に保存されていた場合にのみ、アクセス可能とするようにすれば、必要なメモリ容量を低減できて、より好ましい。
【図面の簡単な説明】
【００３３】
【図１】ドライバ基本画面の一実施例を示す図である。
【図２】簡易設定名入力画面の一実施例を示す図である。
【図３】上書確認画面の一実施例を示す図である。
【図４】エラーメッセージ画面の一実施例を示す図である。
【図５】本発明のプロファイル管理システムの概略構成図である。
【図６】本発明のプロファイル管理方法のフローチャートである。
【図７】プロファイルの保存処理を示すフローチャートである。
【図８】プロファイルの削除処理を示すフローチャートである。
【図９】簡易設定不能画面の一実施例を示す図である。
【図１０】ドライバ基本画面の他実施例を示す図である。
【図１１】最大数のプロファイルが保存されているかを判断した後の処理を示すフローチャートである。
【符号の説明】
【００３４】
１  プロファイル管理システム
２  通常保存プロファイル格納部
３  一時保存プロファイル格納部
４  プロファイル処理部
【図１】
2006031482.tif 000003
【図２】
2006031482.tif 000004
【図３】
2006031482.tif 000005
【図４】
2006031482.tif 000006
【図５】
2006031482.tif 000007
【図６】
2006031482.tif 000008
【図７】
2006031482.tif 000009
【図８】
2006031482.tif 000010
【図９】
2006031482.tif 000011
【図１０】
2006031482.tif 000012
【図１１】
2006031482.tif 000013